(57)【要約】【課題】  遊技領域に払い出される賞球を遊技自体に関与させることにより遊技に対する興趣を高めることが可能なパチンコ機を提供すること。【解決手段】  遊技レールによって区画される遊技領域ｒに設けられた入賞口への入賞の対価としての賞球を、何れかの入賞口の上方に配置された賞球放出口１６ａから遊技領域に払い出すことができるように構成したパチンコ機において、通常遊技モードでは全ての入賞口に対する賞球を貯留皿６に払い出し、特定遊技モードでは特定の入賞口に対する賞球のみを遊技領域ｒに払い出すように構成した。【選択図】  図１
2006263371.tif 000002
【特許請求の範囲】
【請求項１】
遊技レールによって区画される遊技領域に設けられた入賞口への入賞の対価としての賞球を、何れかの入賞口の上方に配置された賞球放出口から遊技領域に払い出すことができるように構成したパチンコ機において、
通常遊技モードでは全ての入賞口に対する賞球を貯留皿に払い出し、特定遊技モードでは、特定の入賞口に対する賞球のみを遊技領域に払い出すように構成したことを特徴とするパチンコ機。
【請求項２】
遊技レールによって区画される遊技領域に設けられた入賞口への入賞の対価としての賞球を、何れかの入賞口の上方に配置された賞球放出口から遊技領域に払い出すことができるように構成したパチンコ機において、
前記賞球の払い出しを遊技領域に対して行なうか、貯留皿に対して行なうかについて、遊技者が任意に選択することができるように構成したことを特徴とするパチンコ機。
【請求項３】
遊技レールによって区画される遊技領域に設けられた入賞口への入賞の対価としての賞球を、何れかの入賞口の上方に配置された賞球放出口から遊技領域に払い出すことができるように構成したパチンコ機において、
遊技球が入賞しやすい開放状態と入賞しにくい閉成状態とを切換え可能に設けた入賞口の上方近傍に前記賞球放出口を配置し、遊技領域への賞球払い出しのタイミングを該入賞口の開放時に行なうように構成したことを特徴とするパチンコ機。
【請求項４】
遊技レールによって区画される遊技領域に設けられた入賞口への入賞の対価としての賞球を、何れかの入賞口の上方に配置された賞球放出口から遊技領域に払い出すことができるように構成したパチンコ機において、
遊技領域への賞球払い出しを特定遊技状態中のみ行なうように構成したことを特徴とするパチンコ機。
【請求項５】
遊技レールによって区画される遊技領域に設けられた入賞口への入賞の対価としての賞球を、何れかの入賞口の上方に配置された賞球放出口から遊技領域に払い出すことができるように構成したパチンコ機において、
遊技領域に払い出す賞球を貯留し、所定条件を満たすことによりその貯留された賞球を遊技領域に払い出すように構成したことを特徴とするパチンコ機。
【請求項６】
遊技レールによって区画される遊技領域に設けられた入賞口への入賞の対価としての賞球を、何れかの入賞口の上方に配置された賞球放出口から遊技領域に払い出すことができるように構成したパチンコ機において、
貯留皿に賞球を払い出す第１賞球払出装置と、前記賞球放出口から遊技領域に賞球を払い出す第２賞球払出装置とを別個に設けたことを特徴とする請求項１〜５の何れかに記載のパチンコ機。
【請求項７】
遊技レールによって区画される遊技領域に設けられた入賞口への入賞の対価としての賞球を、何れかの入賞口の上方に配置された賞球放出口から遊技領域に払い出すことができるように構成したパチンコ機において、
単一の賞球払出装置の下部に、遊技領域への賞球払い出し通路と貯留皿への賞球払い出し通路とを切換え可能な通路切換え手段を設け、その通路切換え手段によって遊技領域への賞球払い出しか、貯留皿への賞球払い出しかの何れかに切換えられるように設けたことを特徴とする請求項１〜５の何れかに記載のパチンコ機。
【発明の詳細な説明】
【技術分野】
【０００１】
本発明は、入賞口への入賞の対価としての賞球を何れかの入賞口の上方に配置された賞球放出口から遊技領域に払い出すことができるパチンコ機に関するものである。
【背景技術】
【０００２】
一般的なパチンコ機では、遊技レールによって区画される遊技領域に設けられた入賞口への入賞の対価としての賞球を、遊技盤の背面側に設置される賞球払出装置よってパチンコ機の前面に設けられる貯留皿へ払い出す構造とされている。その具体例として、特開２００４−８９５０６号公報には遊技機の賞球払出機構の構造が開示されている。
なお、パチンコホールで広く使用される一般的なパチンコ機は、遊技盤の遊技領域に、遊技球の通過を検出する通過ゲートと、普通図柄表示部と特別図柄表示部を備えた図柄変動表示装置と、始動入賞装置及び大入賞口を設け、遊技者により遊技領域に打ち込まれた遊技球が通過ゲートを通過することにより普通図柄表示部に所定の図柄を停止表示し、このときに遊技球が入賞しにくい閉成状態から入賞しやすい開放状態に切り替えられる始動入賞装置に遊技球が入賞することにより特別図柄表示部の図柄を変動表示させ、その特別図柄表示部に所定図柄が停止表示されると特定遊技状態を発生して大入賞口が遊技球を受け入れる開放状態とされ、その開放状態が所定回数だけ繰り返されて多量の賞球を放出するように構成されている。
【０００３】
また、払い出す遊技球の一部を払出手段によって遊技領域に放出させる構造のものも提案されている。例えば、特許第２９１４５８１号公報には，遊技盤の遊技領域に打球を入賞又は通過させる特定通過口（特定領域）と、遊技球を遊技領域に排出する排出口を設け、球タンクから賞球払出装置に遊技球を誘導する整列通路とは異なる排出球通路を介して遊技球を該排出口に誘導する構造が開示されている。
【０００４】
上記特許公報に記載されたパチンコ機では、特定通過口に対する排出口の位置を任意に配置することができて、再放出後の遊技球の落下経路を色々な態様で設計することが可能であることから、遊技の興趣を高められるとされている。
【０００５】
しかし、上記特許公報に記載されたパチンコ機においては、遊技球の再放出位置の設計自由度のみを問題としており、遊技領域に払い出される賞球を遊技自体に関与させて遊技の流れに変化を生じさせるというような発想は見受けられない。
【特許文献１】特許第２９１４５８１号公報
【特許文献２】特開２００４−８９５０６号公報
【発明の開示】
【発明が解決しようとする課題】
【０００６】
本発明の目的は、遊技領域に払い出される賞球を遊技自体に関与させることにより遊技に対する興趣を高めることが可能なパチンコ機を提供することにある。
【課題を解決するための手段】
【０００７】
前記目的を達成するために請求項１に記載した発明は、遊技レールによって区画される遊技領域に設けられた入賞口への入賞の対価としての賞球を、何れかの入賞口の上方に配置された賞球放出口から遊技領域に払い出すことができるように構成したパチンコ機において、
通常遊技モードでは全ての入賞口に対する賞球を貯留皿に払い出し、特定遊技モードでは特定の入賞口に対する賞球のみを遊技領域に払い出すように構成したことを特徴とする。
【０００８】
同様の目的を達成するために請求項２に記載した発明は、遊技レールによって区画される遊技領域に設けられた入賞口への入賞の対価としての賞球を、何れかの入賞口の上方に配置された賞球放出口から遊技領域に払い出すことができるように構成したパチンコ機において、
前記賞球の払い出しを遊技領域に対して行なうか、貯留皿に対して行なうかについて、遊技者が任意に選択することができるように構成したことを特徴とする。
【０００９】
同様の目的を達成するために請求項３に記載した発明は、遊技レールによって区画される遊技領域に設けられた入賞口への入賞の対価としての賞球を、何れかの入賞口の上方に配置された賞球放出口から遊技領域に払い出すことができるように構成したパチンコ機において、
遊技球が入賞しやすい開放状態と入賞しにくい閉成状態とを切換え可能に設けた入賞口の上方近傍に前記賞球放出口を配置し、遊技領域への賞球払い出しのタイミングを該入賞口の開放時に行なうように構成したことを特徴とする。
【００１０】
同様の目的を達成するために請求項４に記載した発明は、遊技レールによって区画される遊技領域に設けられた入賞口への入賞の対価としての賞球を、何れかの入賞口の上方に配置された賞球放出口から遊技領域に払い出すことができるように構成したパチンコ機において、
遊技領域への賞球払い出しを特定遊技状態中のみ行なうように構成したことを特徴とする。
【００１１】
同様の目的を達成するために請求項５に記載した発明は、遊技レールによって区画される遊技領域に設けられた入賞口への入賞の対価としての賞球を、何れかの入賞口の上方に配置された賞球放出口から遊技領域に払い出すことができるように構成したパチンコ機において、
遊技領域に払い出す賞球を貯留し、所定条件を満たすことによりその貯留された賞球を遊技領域に払い出すように構成したことを特徴とする。
【００１２】
同様の目的を達成するために請求項６に記載した発明は、請求項１〜５の何れかに記載のパチンコ機において、遊技レールによって区画される遊技領域に設けられた入賞口への入賞の対価としての賞球を、何れかの入賞口の上方に配置された賞球放出口から遊技領域に払い出すことができるように構成したパチンコ機において、
貯留皿に賞球を払い出す第１賞球払出装置と、前記賞球放出口から遊技領域に賞球を払い出す第2賞球払出装置とを別個に設けたことを特徴とするものである。
【００１３】
同様の目的を達成するために請求項７に記載した発明は、請求項１〜５の何れかに記載のパチンコ機において、遊技レールによって区画される遊技領域に設けられた入賞口への入賞の対価としての賞球を、何れかの入賞口の上方に配置された賞球放出口から遊技領域に払い出すことができるように構成したパチンコ機において、
単一の賞球払出装置の下部に、遊技領域への賞球払い出し通路と貯留皿への賞球払い出し通路とを切換え可能な通路切換え手段を設け、その通路切換え手段によって遊技領域への賞球払い出しか、貯留皿への賞球払い出しかの何れかに切換えられるように設けたことを特徴とするものである。
【発明の効果】
【００１４】
（請求項１の発明）
このパチンコ機は、通常遊技モードでは全ての入賞口に対する賞球を貯留皿に払い出し、特定遊技モードでは、特定の入賞口に対する賞球のみを遊技領域に払い出すように構成とし、遊技内容が斬新で多様化するため遊技の興趣を一層高めることができる。
【００１５】
（請求項２の発明）
このパチンコ機は、賞球の払い出しを遊技領域に対して行なうか、貯留皿に対して行なうについての選択を遊技者が任意に行なうことができるように構成しているので、遊技者は遊技自体に関与しつつ遊技を進行することができるため遊技の興趣を高めることができる。
【００１６】
（請求項３の発明）
このパチンコ機は、入賞口の上方近傍に賞球放出口を配置し、遊技領域への賞球払い出しのタイミングを該入賞口の開放時に行なうように構成しているので、入賞口への入賞チャンスが広がって遊技の興趣が高められる。
【００１７】
（請求項４の発明）
このパチンコ機は、遊技領域への賞球払い出しを特定遊技状態中のみ行なうように構成しているので、遊技領域に払い出された賞球が大入賞口に入賞しやすく，大当り状態の消化を早くすることができる。
【００１８】
（請求項５の発明）
このパチンコ機は、遊技領域に払い出す賞球を貯留し、遊技者の釦操作や特定の入賞口への入賞等の所定条件を満たすことによりその貯留された賞球を遊技領域に払い出すように構成しているので、入賞口への入賞チャンスが広がって遊技の興趣が高められる。
【００１９】
（請求項６の発明）
このパチンコ機は、貯留皿に賞球を払い出す第１賞球払出装置と、賞球放出口から遊技領域に賞球を払い出す第２賞球払出装置とを別個に設けていることから、遊技領域に対して賞球放出口を配置する設計の自由度が大きくなる。
【００２０】
（請求項７の発明）
このパチンコ機は、一つの賞球払出装置の下部に設けた通路切換え手段によって遊技領域への賞球払い出しか、貯留皿への賞球払い出しかの何れかに切換えられるように設けられており、賞球払出装置が１個で済むため製造コストの低減を図ることができる。
【発明を実施するための最良の形態】
【００２１】
以下に、本発明の最良の形態例を図面に基づいて説明する。図１は第１実施形態例のパチンコ機の正面図、図２は同、背面図、図３は同、側面図、図４は第１実施形態例における第２賞球払出装置と賞球放出口との配置関係を説明する側面図、図５は第２実施形態例のパチンコ機の正面図、図６は同、背面図、図７は同、側面図、図８は第２実施形態例における賞球払出装置と賞球放出口との配置関係を説明する側面図である。
【００２２】
（実施形態例１）
図１に示すように、第１実施形態例のパチンコ機Ｐ１は、長方形状外枠１の前面の左側部に前面枠３を一対のヒンジ金具１ａにより軸支して開閉自在に設けている。その前面枠３には、ほぼ中央に形成された大きな開口部４に遊技盤１１の前面を覆う透明板ガラス５を装着し、その開口部４の下方に貯留皿６、遊技球発射装置７の発射ハンドル８等を配設している。９は遊技に関連する操作を遊技者が行なうために設けられた選択釦である。
【００２３】
遊技盤１１の図示しない遊技レールによって区画される遊技領域ｒには、普通図柄表示部（図示せず）及び特別図柄表示部を備えた図柄表示装置１２、入賞口１３、通過ゲート１４ａ、始動入賞口１４、大入賞口１５等が配設されている。１６は遊技盤１１に形成された穴１１ａに先端側を挿入して取り付けられた放出樋である（図３、図４）。この放出樋１６の下向きの賞球放出口１６ａは、図柄表示装置１２の上方に配置されている。
【００２４】
前面枠３の背面側には、図２に示すように、遊技盤１１、球タンク１８、その球タンク１８に連設された誘導樋１９、入賞口１３や始動入賞口１４等に遊技球の入賞があったときに所定数の賞球を貯留皿６に払い出す第１賞球払出装置２１、それら始動入賞口１４等を制御するための主制御部・払出制御部等の電子回路装置等が集約的に配置されている。
【００２５】
なお、球タンク１８、誘導樋１９、第１賞球払出装置２１等は、公知のパチンコ機の構造と同様に、中枠２に回動可能に設けられた裏セット体１７に取り付けられている。
【００２６】
上記誘導樋１９の中間位置に設けられた排出口１９ａには、第２賞球払出装置２５を設置している。図４に示すように、その第２賞球払出装置２５の通路２５ａの下端には、上記放出樋１６の上口１６ｂが臨むように接続されている。
【００２７】
上記第１賞球払出装置２１及び第２賞球払出装置２５については、図示しないモータの出力軸にほぼＳ字形のロータを取り付け、パチンコ機の主制御部・払出制御部の指令信号によって球タンク１８に連通する通路内のロータを回転させることにより遊技球を１個ずつ払い出す構成とされており、公知の賞球払出装置と基本的な構成を同じくする。
【００２８】
つぎに、この第１実施形態例のパチンコ機Ｐ１における遊技の基本的な流れについて説明する。
遊技者によって遊技球が遊技領域ｒに打ち込まれ、その遊技球が通過ゲート１４ａを通過すると、図柄表示装置１２の普通図柄表示部に所定図柄が表われて停止する。これにより、始動入賞口１４が一定時間のみ遊技球が入賞し易い開放状態となる。ついで、その開放状態にある始動入賞口１４に遊技球が入賞すると、図柄表示装置１２の特別図柄表示部１２ａの図柄を変動表示する。その特別図柄表示部１２ａに所定の図柄を停止表示すれば、遊技者に対して所定の利益を付与可能な「大当たり」と言われる特定遊技状態が発生し大入賞口１５が遊技球を受け入れる開放状態とされ、所定条件に基づいてその開放状態が所定回数（通常、最高１６回まで）だけ繰り返されて多量の賞球を第１賞球払出装置２１の作動によって貯留皿６に放出するように構成されている。
【００２９】
しかして、第１実施形態例のパチンコ機においては、遊技モードの相違によって賞球の払い出し場所を変更するように構成することができる（請求項１の発明に対応）。
（１）通常遊技モード
このモードでは、入賞口１３、始動入賞口１４にかかわらず全ての入賞口に対する賞球を第１賞球払出装置２１の作動により貯留皿６に払い出す。
（２）特定遊技モード
特定遊技モードは、上記特定遊技状態に関連付けられる確率変動制御、時間短縮制御の他に、特定遊技状態に関連付けられないものであってもよい。例えば、入賞口１３に所定個数の遊技球が入賞する毎に、通常遊技モードと特定遊技モードが切り替わるようにしてもよいし、時間の経過により通常遊技モードと特定遊技モードが切り替わるようにすることもできる。また、第２賞球払出装置２５の作動により遊技領域ｒに払い出す特定の入賞口については、始動入賞口１４だけでなく、入賞口１３であってもよいし、始動入賞口１４と入賞口１３の両方であってもよく、任意に設定することができる。
【００３０】
また、このパチンコ機においては、遊技者による選択釦９の操作如何によって賞球の払い出し場所を任意に選択可能に構成することもできる（請求項２の発明に対応）。
例えば、選択釦９が遊技者により押された場合は、賞球の払い出しを賞球放出口１６ａから遊技領域ｒに対して行なう。他方、選択釦９が押されない場合には、賞球の払い出しを貯留皿６に対して行なう。
【００３１】
また、このパチンコ機においては、遊技領域ｒへの賞球払い出しのタイミングを始動入賞口１４の開放時に行なうように構成することもできる（請求項３の発明に対応）。
【００３２】
また、このパチンコ機においては、遊技領域ｒへの賞球払い出しを前述した大当り遊技中のみ行なうように構成することもできる（請求項４の発明に対応）。
この場合、大入賞口１５への入賞に対する対価としての賞球を第２賞球払出装置２５の作動により賞球放出口１６ａから遊技領域に払い出すようにすることもできる。
【００３３】
さらには、このパチンコ機においては、遊技領域ｒに払い出す賞球を一時貯留（入賞口への入賞の対価としての賞球の払出作動を一時保留する）し、遊技の進行に伴い所定条件を満たした時にその貯留された賞球を遊技領域ｒに払い出すように構成することもできる（請求項５の発明に対応）。
この場合の所定条件として、遊技者の釦操作により貯留した賞球を払い出したり、所定個数以上の賞球が貯留されることにより貯留した賞球を払い出すようにすることができる。
【００３４】
（実施形態例２）
第２実施形態例のパチンコ機Ｐ２は、単一の賞球払出装置３０の下部に遊技領域への賞球払い出し通路と貯留皿への賞球払い出し通路とを切換えることができる通路切換え手段４０を設けること、遊技領域に対する賞球放出口４６ａの配置が異なること以外について、前述した第１実施形態例のパチンコ機Ｐ１の構成に準ずる構成とされている。このため、第１実施形態例のパチンコ機Ｐ１の構成と同一の構成部分については、第１実施形態例において説明に用いた符号をそのまま流用する。
【００３５】
その賞球払出装置３０は、図７、図８に示すように、裏セット体１７に固定されたケーシング３１に図示しないモータを取り付け、そのモータの出力軸３３に固定したほぼＳ字形の二つのロータ３４を９０°の回転方向の角度を異ならせて取付け、各ロータ３４をケーシング３１の二列に形成された通路３２内に夫々配置し、パチンコ機の主制御部・払出制御部の指令信号によってロータ３４を回転させることにより遊技球を１個ずつ払い出すように構成されている。３５はロータ３４に近接して配置された遊技球通過検出スイッチである。
【００３６】
通路切換え手段４０は、ケース４１の入口通路４２から下流を第１通路４３と第２通路４４の二方向に分岐するように設け、その分岐箇所４１ａに遊技球を振り分けるための通路切換え弁４５が設けられている。その通路切換え弁４５は、図示しないソレノイド等のアクチュエータにより回動自在に設けられている。その第１通路４３は、前記貯留皿６に連通するように設けられている。他方の第２通路４４の出口側４４ａは、遊技盤１１に形成された穴１１ａに先端側を挿入して取り付けられた放出樋４６の上口４６ｂに臨むように設けられている。その放出樋４６の下向きの賞球放出口４６ａは、図５に示すように、遊技盤１１の前面中央に配設された始動入賞口１４の上方近傍に配置されている。
【００３７】
以上により、第２実施形態例のパチンコ機Ｐ２が基本的に構成される。
なお、この第２実施形態例のパチンコ機Ｐ２における遊技領域ｒへの賞球払い出し方法については、前記第１実施形態例のパチンコ機Ｐ１の項にて説明した構成の何れの構成も採用することができるが、その説明を省略する。
【００３８】
以上に述べた通り、このパチンコ機は、例えば、通常遊技モードでは全ての入賞口に対する賞球を貯留皿に払い出し、特定遊技モードでは特定の入賞口に対する賞球のみを遊技領域に払い出すように構成することにより、遊技内容が斬新で多様化するため遊技の興趣を一層高めることができる。
【図面の簡単な説明】
【００３９】
【図１】第１実施形態例のパチンコ機の正面図
【図２】同、背面図
【図３】同、側面図
【図４】第１実施形態例における第２賞球払出装置と賞球放出口との配置関係を説明する側面図
【図５】第２実施形態例のパチンコ機の正面図
【図６】同、背面図
【図７】同、側面図
【図８】第２実施形態例における賞球払出装置と賞球放出口との配置関係を説明する側面図
【符号の説明】
【００４０】
Ｐ１…第１実施形態例のパチンコ機
ｒ…遊技領域
６…貯留皿
９…選択釦
１１…遊技盤
１２…図柄表示装置
１３…入賞口
１４…始動入賞口
１５…大入賞口
１６ａ…賞球放出口
２１…第１賞球払出装置
２５…第２賞球払出装置
Ｐ２…第２実施形態例のパチンコ機
３０…賞球払出装置
４０…通路切換え手段
４６ａ…賞球放出口
【図１】
2006263371.tif 000003
【図２】
2006263371.tif 000004
【図３】
2006263371.tif 000005
【図４】
2006263371.tif 000006
【図５】
2006263371.tif 000007
【図６】
2006263371.tif 000008
【図７】
2006263371.tif 000009
【図８】
2006263371.tif 000010